(57)【特許請求の範囲】
【請求項１】
上面、下面、連続して形成される第１側面、第２側面、第３側面、及び第４側面を備える６面形状のブロックであって、前記第１側面に入力ポートを備え、前記第１側面に対向する前記第３側面に出力ポートを備え、前記上面に電磁開閉弁が取り付けられる６面形状ブロック体を有する多機能電磁開閉弁において、
前記第２側面の、前記第１側面に近い位置に第１空洞部が形成され、前記第３側面に近い位置に第２空洞部が形成されていること、
前記第４側面の、前記第１側面に近い位置に、前記第１空洞部と連通する第３空洞部が形成され、前記第３側面に近い位置に、前記第２空洞部と連通する第４空洞部が形成されていること、
前記第１空洞部と、前記第３空洞部と、が第１内部空間により連通されていること、
前記第２空洞部と、前記第４空洞部と、が第２内部空間により連通されていること、
前記多機能電磁開閉弁は、前記入力ポートから入力される流体が、前記第１内部空間、前記電磁開閉弁、前記第２内部空間を通り、前記出力ポートに出力される流路が形成されていること、
第１内部空間には、前記第１空洞部から装着される中空形状の回転型手動遮断弁が位置すること、
前記第３空洞部から装着される円筒形状のフィルタが、前記第１内部空間において、前記回転型手動遮断弁の中空部に挿入されていること、
を特徴とする多機能電磁開閉弁。
【請求項２】
請求項１に記載する多機能電磁開閉弁において、
前記第１内部空間において前記流路から分岐し、前記第２内部空間において前記流路に合流する連通路が形成されていること、
前記第２内部空間には、前記第２空洞部から装着される回転型手動開閉弁が位置していること、
を特徴とする多機能電磁開閉弁。
【請求項３】
請求項１または請求項２に記載する多機能電磁開閉弁において、
前記第４空洞部に、前記出力ポート側に流体が流れていることを確認できる目視用インジケータが装着されていること、
を特徴とする多機能電磁開閉弁。
【請求項４】
請求項１乃至請求項３に記載するいずれか１つの多機能電磁開閉弁において、
前記６面形状ブロック体と前記電磁開閉弁との間に第２の６面形状ブロック体が挟まれ固定されていること、
前記第２の６面形状ブロック体には、前記第１内部空間と前記電磁開閉弁の入力通路とを連通する第５空洞部が形成され、前記第５空洞部に、流量センサが装着されていること、
を特徴とする多機能電磁開閉弁。
【請求項５】
請求項１乃至請求項３に記載するいずれか１つの多機能電磁開閉弁において、
前記６面形状ブロック体と前記電磁開閉弁との間に第２の６面形状ブロック体が挟まれ固定されていること、
前記第２の６面形状ブロック体には、前記第２内部空間と前記電磁開閉弁の出力通路とを連通する第６空洞部が形成され、前記第６空洞部に、逆止弁が保持されていること、
を特徴とする多機能電磁開閉弁。
【請求項６】
請求項４に記載する多機能電磁開閉弁において、
前記第２の６面形状ブロック体には、前記第２内部空間と前記電磁開閉弁の出力通路とを連通する第６空洞部が形成され、前記第６空洞部に、逆止弁が装着されていること、
を特徴とする多機能電磁開閉弁。
【発明の詳細な説明】
【技術分野】
【０００１】
本発明は、上面、下面、連続して形成される第１側面、第２側面、第３側面、及び第４側面を備える６面形状のブロックであって、第１側面に入力ポートを備え、第１側面に対向する第３側面に出力ポートを備え、上面に電磁開閉弁が取り付けられる多機能電磁開閉弁に関する。
【背景技術】
【０００２】
従来の多機能電磁開閉弁においては、ノーマルクローズタイプの電磁開閉弁の他に、１次側の圧力を遮断し、残圧を排出する手動遮断弁、フィルタ、電磁弁が非通電状態で１次側と２次側とを連通させる手動開閉弁、流量計、流量インジケータ、逆止弁のいずれかの機器を組み合わせて空気回路を構成すること流体配管が行われている。
それら複数の機器の組み合わせに対しては、上面に電磁開閉弁を取り付けた６面状ブロック内部に、複数の空洞部を形成し、それら複数の機器を装着することにより、装置全体をコンパクト化するものもある。
上記技術ではないが、電磁弁に対して色々な機能の弁等を組み合わせた多機能弁は、特許文献１に開示されている。
【先行技術文献】
【特許文献】
【０００３】
【特許文献１】特開2001-99015号公報
【発明の概要】
【発明が解決しようとする課題】
【０００４】
しかしながら、従来の電磁開閉弁装置には、次のような問題があった。
すなわち、それら複数の機器の組み合わせに対して、上面に電磁開閉弁を取り付けた６面状ブロック内部に、複数の空洞部を形成し、それら複数の機器を装着することは、ケースバイケースで６面状ブロックを設計製作することを意味しており、コンパクト化は実現できるが、設計製作が煩雑であり、個別の装置のコストが高くなる問題があった。
また、１次側に手動遮断弁とフィルタとを取り付けようとしたときに、手動遮断弁とフィルタとを直列的に配置していたため、装置全体が大型化する問題があった。
【０００５】
そこで、本発明は、上記問題点を解決するためになされたものであり、複数の機器を任意に組み合わせても、装置全体をコンパクトにできる多機能電磁開閉弁を提供することを目的とする。
【課題を解決するための手段】
【０００６】
本発明は、上記課題を解決するためになされたものであり、本発明の多機能電磁開閉弁は、次のような構成を有している。
（１）上面、下面、連続して形成される第１側面、第２側面、第３側面、及び第４側面を備える６面形状のブロックであって、第１側面に入力ポートを備え、第１側面に対向する第３側面に出力ポートを備え、上面に電磁開閉弁が取り付けられる６面形状ブロック体を有する多機能電磁開閉弁において、第２側面の、第１側面に近い位置に第１空洞部が形成され、第３側面に近い位置に第２空洞部が形成されていること、第４側面の、第１側面に近い位置に、第１空洞部と連通する第３空洞部が形成され、第３側面に近い位置に、第２空洞部と連通する第４空洞部が形成されていること、第１空洞部と、第３空洞部と、が第１内部空間により連通されていること、第２空洞部と、第４空洞部と、が第２内部空間により連通されていること、多機能電磁開閉弁は、入力ポートから入力される流体が、第１内部空間、電磁開閉弁、第２内部空間を通り、出力ポートに出力される流路が形成されていること、第１内部空間には、第１空洞部から装着される中空形状の回転型手動遮断弁が位置すること、第３空洞部から装着される円筒形状のフィルタが、第１内部空間において、回転型手動遮断弁の中空部に挿入されていること、を特徴とする。
【０００７】
（２）（１）に記載する多機能電磁開閉弁において、前記第１内部空間において前記流路から分岐し、前記第２内部空間において前記流路に合流する連通路が形成されていること、前記第２内部空間には、前記第２空洞部から装着される回転型手動開閉弁が位置していること、を特徴とする。
（３）（１）または（２）に記載する多機能電磁開閉弁において、前記第４空洞部に、前記出力ポート側に流体が流れていることを確認できる目視用インジケータが装着されていること、を特徴とする。
【０００８】
（４）（１）乃至（３）に記載するいずれか１つの多機能電磁開閉弁において、前記６面形状ブロック体と前記電磁開閉弁との間に第２の６面形状ブロック体が挟まれ固定されていること、前記第２の６面形状ブロック体には、前記第１内部空間と前記電磁開閉弁の入力通路とを連通する第５空洞部が形成され、前記第５空洞部に、流量センサが装着されていること、を特徴とする。
（５）（１）乃至（３）に記載するいずれか１つの多機能電磁開閉弁において、前記６面形状ブロック体と前記電磁開閉弁との間に第２の６面形状ブロック体が挟まれ固定されていること、前記第２の６面形状ブロック体には、前記第２内部空間と前記電磁開閉弁の出力通路とを連通する第６空洞部が形成され、前記第６空洞部に、逆止弁が保持されていること、を特徴とする。
（６）（４）に記載する多機能電磁開閉弁において、前記第２の６面形状ブロック体には、前記第２内部空間と前記電磁開閉弁の出力通路とを連通する第６空洞部が形成され、前記第６空洞部に、逆止弁が装着されていること、を特徴とする。
【０００９】
（７）（１）乃至（６）に記載するいずれか１つの多機能電磁開閉弁において、前記フィルタの内周に軸心方向に移動可能なニードル弁を有すること、を特徴とする。
（８）（１）に記載する多機能電磁開閉弁において、前記第４空洞部に、流量センサが装着されていること、を特徴とする。
（９）（８）に記載する多機能電磁開閉弁において、前記第２空洞部に、逆止弁が装着されていること、を特徴とする。
【発明の効果】
【００１０】
本発明の多機能電磁開閉弁は、次のような作用、効果を奏する。
（１）上面、下面、連続して形成される第１側面、第２側面、第３側面、及び第４側面を備える６面形状のブロックであって、第１側面に入力ポートを備え、第１側面に対向する第３側面に出力ポートを備え、上面に電磁開閉弁が取り付けられる６面形状ブロック体を有する多機能電磁開閉弁において、第２側面の、第１側面に近い位置に第１空洞部が形成され、第３側面に近い位置に第２空洞部が形成されていること、第４側面の、第１側面に近い位置に、第１空洞部と連通する第３空洞部が形成され、第３側面に近い位置に、第２空洞部と連通する第４空洞部が形成されていること、第１空洞部に、中空形状の回転型手動遮断弁が装着されていること、第３空洞部に、円筒形状のフィルタが装着され、フィルタは、回転型手動遮断弁の中空部に装着されていること、を特徴とするので、電磁開閉弁の他に、１次側の圧力を遮断し、残圧を排出する手動遮断弁の中空部にフィルタが装着されているため、全体をコンパクトにすることができると同時に、第２空洞部、第４空洞部に、手動開閉弁、目視用インジケータ、流量センサ、逆止弁等の機器を任意に選択して装着できるため、色々な種類の機器を組み合わせて使用するときに、同じ形状の６面状ブロック体を利用できるため、全体のコストを低減することができる。そのときの装置全体の大きさをコンパクト化できる。
【００１１】
（２）（１）に記載する多機能電磁開閉弁において、前記第１空洞部と前記第２空洞部とを連通する連通路が形成されていること、前記第２空洞部に、回転型手動開閉弁が装着されていること、を特徴とするので、手動開閉弁を追加仕様とする場合でも、容易に追加することができる。また、手動開閉弁を追加しない場合と追加する場合とで、同じ６面状ブロックを利用できるため、コストダウンを図れる。
（３）（１）または（２）に記載する多機能電磁開閉弁において、前記第４空洞部に、目視用インジケータが装着されていること、を特徴とするので、目視用インジケータを追加仕様とする場合でも、容易に追加することができる。また、目視用インジケータを追加しない場合と追加する場合とで、同じ６面状ブロックを利用できるため、コストダウンを図れる。
【００１２】
（４）（１）乃至（３）に記載するいずれか１つの多機能電磁開閉弁において、  前記６面形状ブロックと前記電磁開閉弁との間に第２の６面形状ブロックが挟まれ固定されていること、前記第２の６面形状ブロックには、前記第１空洞部と前記電磁開閉弁の入力通路とを連通する第５空洞部が形成され、前記第５空洞部に、流量センサが装着されていること、を特徴とするので、例えば、第１空洞部の手動遮断弁、第２空洞部のフィルタ、第３空洞部の手動開閉弁、第４空洞部の目視用インジケータを組み合わせた上で、さらに流量センサを取り付けたい場合に、第２の６面形状ブロックの第５空洞部に装着できるため、さらに組み合わせる機器を増加させることができる。また、上下方向に積み増ししているため、設置面積を増やすことなく機器を増加することができる。
【００１３】
（５）（１）乃至（３）に記載するいずれか１つの多機能電磁開閉弁において、  前記６面形状ブロックと前記電磁開閉弁との間に第２の６面形状ブロックが挟まれ固定されていること、前記第２の６面形状ブロックには、前記第４空洞部と前記電磁開閉弁の出力通路とを連通する第６空洞部が形成され、前記第６空洞部に、逆止弁が保持されていること、を特徴とするので、逆止弁を追加仕様とする場合でも、容易に追加することができる。
（６）（４）に記載する多機能電磁開閉弁において、前記第２の６面形状ブロックには、前記第４空洞部と前記電磁開閉弁の出力通路とを連通する第６空洞部が形成され、前記第６空洞部に、逆止弁が装着されていること、を特徴とするので、流量センサ及び逆止弁を追加仕様とする場合でも、容易に追加することができる。
【００１４】
（７）（１）乃至（６）に記載するいずれか１つの多機能電磁開閉弁において、前記フィルタの内周に軸心方向に移動可能なニードル弁を有すること、を特徴とするので、流量調整弁となるニードル弁を追加仕様とする場合でも、容易に追加することができる。
（８）（１）に記載する多機能電磁開閉弁において、前記第４空洞部に、流量センサが装着されていること、を特徴とするので、流量センサを追加仕様とする場合でも、容易に追加することができる。
（９）（８）に記載する多機能電磁開閉弁において、前記第２空洞部に、逆止弁が装着されていること、を特徴とするので、逆止弁を追加仕様とする場合でも、容易に追加することができる。
【図面の簡単な説明】
【００１５】
【図１】本発明の多機能電磁開閉弁１の分解斜視図である。
【図２】多機能電磁開閉弁１の底面から見た分解図である。
【図３】多機能電磁開閉弁１の正面図である。
【図４】多機能電磁開閉弁１の背面図である。
【図５】図１の右側面図である。
【図６】図５のＭＭ断面図である。
【図７】図５のＫＫ断面図である。
【図８】図５のＯＯ断面図である。
【図９】第２の実施の形態である多機能電磁開閉弁１０１の正面図である。
【図１０】多機能電磁開閉弁１０１の背面図である。
【図１１】図９の右側面図である。
【図１２】図１１のＱＱ断面図である。
【図１３】図１１のＲＲ断面図である。
【図１４】第３の実施の形態である多機能電磁開閉弁２０１の正面図である。
【図１５】図１４の右側面図である。
【図１６】図１４のＺＺ断面図である。
【図１７】図１５のＨＨ断面図である。
【発明を実施するための形態】
【００１６】
以下、本発明を具体化した多機能電磁開閉弁１について、添付図面を参照しつつ詳細に説明する。図１に、多機能電磁開閉弁１の分解斜視図を示し、図２に、底面側から見た分解図を示す。また、図３に正面図を、図４に背面図を、図５に図１の右側面図を示す。また、図６に図５のＭＭ断面図を、図７に図５のＫＫ断面図を、図８に図５のＯＯ断面図を示す。
図３に示すように、多機能電磁開閉弁１は、上面２０ａ、下面２０ｂ、連続して形成される第１側面２０ｃ、第２側面２０ｄ、第３側面２０ｅ、及び第４側面２０ｆを備える６面状ブロックである本体２０を有する。本体２０の上面２０ａには、電磁開閉弁１１が取付部材１２により取り付けられている。電磁開閉弁１１には、エルボ１３、電線接続部１４電線接続用端子箱１３が連設している、
【００１７】
図６に、多機能電磁開閉弁１の内部構造を示す。電磁開閉弁１１には、中空状のコイル１１３の上部中空開口に固定鉄心１１１が固設されている。コイル１１３の周囲には、断面がコの字形のヨークが固設されている。コイル１１３の下部中空開口には、非磁性体からなる可動鉄心ガイド１１７を介して、可動鉄心１１４が摺動可能に保持されている。可動鉄心１１４の下面凹部には、ゴム製の弁体１１５がはめ込まれている。可動鉄心１１４は、付勢バネ１１６により、図中下方向に付勢されている。
取付部材１２の上面には、弁体１１５が当接または離間する弁座１２１が形成されている。また、取付部材１２の内部には、入力通路２７と連通すると共に弁室を構成する入力通路１２ａが形成されている。また、弁座１２１の内側の弁孔と出力通路２８とを連通する出力通路１２ｂが形成されている。
【００１８】
図３に示すように、本体２０の第１側面（図中左側面）である第１側面２０ｃには、入力ポート２１が突出して形成され、第１側面２０ｃと対向する第３側面（図中右側面）である第３側面２０ｅには、出力ポート２２が突出して形成されている。
図１に示すように、第４側面２０ｆ（図３では手前に見える。）には、第１側面２０ｃに近い位置に、第３空洞部２５（図１に図示せず。）が形成され、第３空洞部２５には、フィルタユニット４０が装着されている。図３では、フィルタユニット４０の止め部材４５が見えている。
また、図１に示すように、第４側面２０ｆの第３側面２０ｅに近い位置に、第４空洞部２６（図１に図示せず。）が形成され、第４空洞部２６には、目視用インジケータユニット６０が装着されている。図３では、目視用インジケータユニット６０のカバー６５が見えている。目視用インジケータユニット６０は、取付板４４により、本体２０に４本のボルトで取り付けられている。
【００１９】
図１に示すように、第２側面２０ｄ（図４では手前に見える。）には、第１側面２０ｃに近い位置に、第１空洞部２３が形成され、第１空洞部には、回転型手動遮断弁である手動遮断弁３０が装着されている。図４では、手動遮断弁３０の取手部３２が見えている。
また、図１に示すように、第２側面２０ｄには、第４側面２０ｆに近い位置に、第２空洞部２４が形成され、第２空洞部２４には、回転型手動開閉弁である手動開閉弁５０が装着されている。図４では、手動開閉弁５０の取手部５２が見えている。手動遮断弁３０及び手動開閉弁５０は、取付板３３により、本体２０に４本のボルトで取り付けられている。
ここで、第１空洞部２３と第３空洞部２５とは、同径の孔であり、貫通している。また、第２空洞部２４と第４空洞部２６とは、同径であり、貫通している。また、第１空洞部２３と第２空洞部２４とは、図６に示す連通路２９により連通している。
【００２０】
次に、第１空洞部２３に装着される手動遮断弁３０と、第３空洞部２５に装着されるフィルタユニット４０の構造について説明する。
図１、図２、図６、及び図７に示すように、手動遮断弁３０は、弁本体３１と取手部３２を有する。弁本体３１は、中空円筒形状であり、外周に遮断壁面部３１ａ、スリット形状の第１開口部３１ｂ、及び大きな開口である第２開口部３１ｃを備える。図４に示すように、取手部３２が垂直方向の位置にあるときには、図６に示すように、弁本体３１の第１開口部３１ｂが入力ポート２１に連通され、第２開口部３１ｃが本体２０に形成された入力通路２７に連通している。第１開口部３１ｂをスリット形状にしているのは、フィルタユニット４０に流れ込む空気流体の流速を速くしてフィルタの性能を高めるためである。
【００２１】
第１空洞部２３と第３空洞部２５とは連通されており、第３空洞部２５から装着されたフィルタユニット４０は、手動遮断弁３０の弁本体３１の中空部に入り込んで装着されている。
図１に示すように、フィルタユニット４０は、一対のシール部材４２、４３の間に円筒形状で外周に大きな開口が形成されたフィルタ支持部材４１の外周に円筒形状のフィルタ４１ａ（図１には図示せず、図６に図示している。）が備えられている。それらを弁本体３１の中空部に直列に装着して、止め部材４５により固定されている。
したがって、図６において、手動遮断弁３０の第１開口部３１ｂから流入した空気流体は、フィルタ４１ａを通過して第２開口部３１ｃを経て、入力通路２７に流入する。
【００２２】
次に、第２空洞部２４に装着される手動開閉弁５０と、第４空洞部２６に装着される目視用インジケータユニット６０の構造について説明する。
図１、図２、図６及び図７に示すように、手動開閉弁５０は、弁本体５１と取手部５２を有する。弁本体５１は、中空円筒状であり、外周の９０度毎の位置に遮断壁面部５１ａ、第１開口部５１ｂ、第２開口部５２１ｃ、及び第３開口部５２１ｄを備えている。図４では、取手部５２が垂直方向に位置しており、図６に示すように、遮断壁面部５１ａが連通路２９を塞いでおり、同時に、第１開口部５１ｂと第２開口部５２１ｃにより、出力通路２８と出力ポート２２が連通されている。この状態では、手動開閉弁５０は、閉じた状態である。
【００２３】
第２空洞部２４と第４空洞部２６とは連通されている。第４空洞部２６に装着されている目視用インジケータユニット６０は、図１及び図２に示すように、内側から保持部材６１、ダイヤフラム弁６２、移動体６３、付勢バネ６４、カバー６５を備えている。第２空洞部２４及び第４空洞部２６に空気流体圧が作用していないときには、移動体６３は付勢バネ６４により付勢され、ダイヤフラム弁６２を本体２０側に押圧している。第２空洞部２４に空気流体圧が作用すると、ダイヤフラム弁６２が移動体６３を、付勢バネ６４の付勢力に抗して外側方向に移動する。それにより、カバー６５が押されて、取付板４４の外部に突出する。カバー６５が取付板４４移動体６３の先端がカバー６５の外側まで突出するのを目視することにより、作業者は、２次側に空気流体圧が作用していることを確認することができる。
【００２４】
次に、本発明の多機能電磁開閉弁１の作用について説明する。図３４に示すように、手動遮断弁３０の取手部３２が非遮断状態（連通状態）にあり、手動開閉弁５０が閉弁状態（非開弁状態）にある場合について、始めに説明する。
手動遮断弁３０の弁本体３１は、図６の状態にあるため、入力ポート２１と入力通路１２ａとは、入力通路２７を介して連通している。連通路２９は、手動開閉弁５０の弁本体５１の遮断壁面部５１ａにより塞がれているため、入力ポート２１と出力ポート２２とは、連通路２９を介しては連通していない。
次に、図６の状態からコイル１１３に通電された場合を説明する。コイル１１３に通電されると、固定鉄心１１１が磁石化して、可動鉄心１１４が付勢バネ１１６の付勢力に抗して吸引される。これにより、弁体１１５が弁座１２１から離間して、入力通路１２ａと出力通路１２ｂ、２８と連通する。そして、空気流体が入力ポート２１から出力ポート２２に向かって流れる。出力ポート２２側に空気流体が流れることにより、目視用インジケータユニット６０のカバー６５が取付板４４移動体６３がカバー６５より突出するため、目視により、開弁して流体が流れていることを確認できる。
【００２５】
次に、手動遮断弁３０の作用について説明する。
コイル１１３に通電していない状態で、例えば、メンテナンス作業を始めようとするときには、何かの事情で通電した場合にも、空気流体が流れないように、手動遮断弁３０を遮断状態とする必要がある。作業者の安全を確保するためである。
その時には、作業者は、図４において、手動遮断弁３０の取手部３２を反時計回りに９０度回転させる。これにより、図６において、弁本体３１が時計回り（図４と図６ではね反対方向から見ているため、方向が逆となる。）に回転して、遮断壁面部３１ａが、入力ポート２１の孔を塞ぐ。これにより、万が一、コイル１１３に通電されたとしても、入力ポート２１と出力ポート２２とが連通することはない。また、手動遮断弁３０は、フィルタ４１ａの目詰まりを解消するメンテナンスの時に流体を遮断することができるため、メンテナンス作業がしやすく、作業時間を短縮する利点がある。
【００２６】
次に、手動開閉弁５０の作用について説明する。
コイル１１３に通電していない状態で、例えば、メンテナンス作業において、多機能電磁開閉弁１を開弁して空気流体を流したい場合がある。
そのような場合には、作業者は、図４において、手動開閉弁５０の取手部５２を反時計回りに９０度回転させる。これにより、図６において、弁本体５１が時計回り（図４と図６ではね反対方向から見ているため、方向が逆となる。）に回転して、弁本体５１の第３開口部５１ｄと第１開口部５１ｂとを介して連通路２９と出力ポート２２が連通される。このとき、遮断壁面部５１ａが、出力通路２８の孔を塞いでいる。これにより、コイル１１３への通電の有無にかかわらず常に、入力ポート２１と出力ポート２２が連通した状態となり空気流体が供給される。また、手動開閉弁５０は、回転の途中で使用すれば、絞り弁の機能を得ることができる。
【００２７】
本発明の多機能電磁開閉弁１においては、第１空洞部２３に手動遮断弁３０を装着し、第３空洞部２５にフィルタユニット４０を装着することは必須であるが、第２空洞部２４に手動開閉弁５０を装着するか否かは任意である。同様に、第４空洞部２６に目視用インジケータユニット６０を装着するか否かは任意である。
すなわち、手動開閉弁５０を必要としない顧客に対しては、外周に開口の無い円筒形状の弁本体５１´を装着する。この弁本体５１´には、取手部５２も不要である。また、目視用インジケータユニット６０を必要としない顧客に対しては、取付板４４の取付孔４４ｂを孔なしとしたものを使用すれば良い。
【００２８】
このように使用することにより、電磁開閉弁１１、手動遮断弁３０、及びフィルタユニット４０を付けたＡタイプと、Ａタイプに手動開閉弁５０を追加したＢタイプと、Ａタイプにも目視用インジケータユニット６０を追加したＣタイプと、Ａタイプに手動開閉弁５０及び目視用インジケータユニット６０を追加したＤタイプとを、同一の本体２０を用いて構成できるため、全体のコストを低減することができる。
【００２９】
以上、詳細に説明したように、本実施の形態の多機能電磁開閉弁１によれば、（１）上面２０ａ、下面２０ｂ、連続して形成される第１側面２０ｃ、第２側面２０ｄ、第３側面２０ｅ、及び第４側面２０ｆを備える６面形状のブロックであって、第１側面２０ｃに入力ポート２１を備え、第１側面２０ｃに対向する第３側面２０ｅに出力ポート２２を備え、上面２０ａに電磁開閉弁１１が取り付けられる本体２０を有する多機能電磁開閉弁１において、第２側面２０ｄの、第１側面２０ｃに近い位置に第１空洞部２３が形成され、第３側面２０ｅに近い位置に第２空洞部２４が形成されていること、第４側面２０ｆの、第１側面２０ｃに近い位置に、第１空洞部２３と連通する第３空洞部２５が形成され、第３側面２０ｅに近い位置に、第２空洞部２４と連通する第４空洞部２６が形成されていること、第１空洞部２３に、中空形状の手動遮断弁３０が装着されていること、第３空洞部２５に、円筒形状のフィルタユニット４０が装着され、フィルタユニット４０は、手動遮断弁３０の中空部に装着されていること、を特徴とするので、電磁開閉弁１１の他に、１次側の残圧を排出するための手動遮断弁３０の中空部にフィルタユニット４０が装着されているため、全体をコンパクトにすることができると同時に、第２空洞部２４、第４空洞部２６に、手動開閉弁５０、目視用インジケータユニット６０等の機器を任意に選択して装着できるため、色々な種類の機器を組み合わせて使用するときに、同じ形状を有する本体２０を利用できるため、全体のコストを低減することができる。そのときの装置全体の大きさをコンパクト化できる。
【００３０】
（２）（１）に記載する多機能電磁開閉弁１において、第１空洞部２３と第２空洞部２４とを連通する連通路２９が形成されていること、第２空洞部２４に、手動開閉弁５０が装着されていること、を特徴とするので、手動開閉弁５０を追加仕様とする場合でも、容易に追加することができる。また、手動開閉弁５０を追加しない場合と追加する場合とで、同じ本体２０を利用できるため、コストダウンを図れる。
（３）（１）または（２）に記載する多機能電磁開閉弁１において、第４空洞部２６に、目視用インジケータユニット６０が装着されていること、を特徴とするので、目視用インジケータユニット６０を追加仕様とする場合でも、容易に追加することができる。また、目視用インジケータユニット６０を追加しない場合と追加する場合とで、同じ本体２０を利用できるため、コストダウンを図れる。
【００３１】
次に、本発明の第２の実施の形態である多機能電磁開閉弁１０１について図面に基づいて説明する。なお、第１実施の形態と同じ部分については、同じ符号を付して説明を省略し、相違する点について詳細に説明する。
図９に、多機能電磁開閉弁１０１の正面図を、図１０に、背面図を、図１１に図９の右側面図を示す。図１２に、図１１のＱＱ断面図を示し、図１３に、図１１のＲＲ断面図を示す。
第１実施の形態と相違しているのは、電磁開閉弁１１と本体２０との間に、第２の６面状ブロックである第２本体７０が挟まれて構成されている点である。
【００３２】
図１２に示すように、本体２０には、流量センサ８０を装着するための第５空洞部７２の一部を構成する凹部２０２が形成されている。第２本体７０には、流量センサ８０を装着するための第５空洞部７２の一部を構成する凹部７１が形成されている。凹部２０２と凹部７１とにより、第５空洞部７２が構成されている。第５空洞部７２には、流量センサ８０が装着されている。
本体２０には、逆止弁９０を装着するための第６空洞部７４の一部を構成する凹部２０３が形成されている。第５空洞部７２は、第１空洞部２３と電磁開閉弁１１の入力通路１２ａと連通している。
第２本体７０には、逆止弁９０を装着するための第６空洞部７４の一部を構成する凹部７３が形成されている。凹部２０３と凹部７３とにより、第６空洞部７４が構成されている。第６空洞部７４は、第４空洞部２６と電磁開閉弁１１の出力通路１２ｂと連通している。
逆止弁９０は、逆止弁本体９１内に、フロート弁９２が、移動可能に保持されている。また、フロート弁９２は、付勢バネ９３により流れの反対方向に向かって付勢されている。
【００３３】
本発明の多機能電磁開閉弁１０１においては、第５空洞部７２に流量センサ８０を装着するか否かは任意である。同様に、第６空洞部７４に逆止弁９０を装着するか否かは任意である。
すなわち、流量センサ８０を必要としない顧客に対しては、流量センサ８０を装着せずに使用すれば良い。また、逆止弁９０を必要としない顧客に対しては、逆止弁９０を装着せずに使用すれば良い。
さらに、流量センサ８０及び逆止弁９０を必要としない顧客に対しては、第２本体７０を取り外せば、第１実施の形態と同じように使用することも可能である。
このように使用することにより、第１実施の形態に加えて、流量センサ８０の追加の有無、逆止弁９０の追加の有無を任意に選択でき、同一の第２本体７０を用いて構成できるため、全体のコストを低減することができる。
【００３４】
以上詳細に説明したように、第２の実施の形態の多機能電磁開閉弁１０１によれば、本体２０と電磁開閉弁１１との間に第２本体７０が挟まれ固定されていること、第２本体７０には、第１空洞部２３と電磁開閉弁１１の入力通路１２ａとを連通する第５空洞部７２が形成され、第５空洞部７２に、流量センサ８０が装着されていること、を特徴とするので、例えば、第１空洞部２３の手動遮断弁３０、第３空洞部２５のフィルタユニット４０、第２空洞部２４の手動開閉弁５０、第４空洞部２６の目視用インジケータユニット６０を組み合わせた上で、さらに流量センサ８０を取り付けたい場合に、第２本体７０の第５空洞部７２に装着できるため、さらに組み合わせる機器を増加させることができる。また、上下方向に積み増ししているため、設置面積を増やすことなく機器を増加することができる。
【００３５】
また、本体２０と電磁開閉弁１１との間に第２本体７０が挟まれ固定されていること、第２本体７０には、第４空洞部２６と電磁開閉弁１１の出力通路１２ｂとを連通する第６空洞部７４が形成され、第６空洞部７４に、逆止弁９０が保持されていること、を特徴とするので、逆止弁９０を追加仕様とする場合でも、容易に追加することができる。
また、第２本体７０には、第４空洞部２６と電磁開閉弁１１の出力通路１２ｂとを連通する第６空洞部７４が形成され、第６空洞部７４に、逆止弁９０が保持されていること、を特徴とするので、流量センサ８０及び逆止弁９０を追加仕様とする場合でも、容易に追加することができる。
【００３６】
次に、本発明の第３の実施の形態である多機能電磁開閉弁２０１について図面に基づいて説明する。なお、第１実施の形態と同じ部分については、同じ符号を付して説明を省略し、相違する点について詳細に説明する。
図１４に、多機能電磁開閉弁２０１の正面図を示し、図１５に右側面図を示す。図１６に、図１４のＺＺ断面図を示し、図１７に、図１５のＨＨ断面図を示す。
図１７に示すように、第１空洞部２３には、手動遮断弁３０が装着されている。第３空洞部２５には、フィルタとニードル弁とが一体に組み立てられたフィルタニードル組立２１０が装着されている。ニードル弁２１１は、外周の雄ネジが、本体２０の雌ネジとネジ結合され、移動可能である。ニードル先端２１２ａは、フィルタ本体２１２の端面に形成されたニードル孔２１２１ａに相対している。フィルタ本体２１２には、フィルタ２１３が取り付けられている。
図１７に示すように、第２空洞部２４と第４空洞部２６とは、一体的に構成されている。すなわち、開口は１つであり、第２空洞部２４の奥側に第４空洞部２６が位置している。第２空洞部２４には、逆止弁９０が装着されている。また、第４空洞部２６には、流量センサ８０が装着されている。
【００３７】
以上説明したように、第３実施の形態の多機能電磁開閉弁２０１によれば、フィルタ２１３の内周に軸心方向に移動可能なニードル弁２１１を有すること、を特徴とするので、流量調整弁となるニードル弁２１１を追加仕様とする場合でも、容易に追加することができる。
また、第４空洞部２６に、流量センサ８０が装着されていること、を特徴とするので、流量センサ８０を追加仕様とする場合でも、容易に追加することができる。
また、第２空洞部２４に、逆止弁９０が装着されていること、を特徴とするので、逆止弁９０を追加仕様とする場合でも、容易に追加することができる。
【００３８】
尚、本発明は、上記実施形態に限定されることなく、発明の趣旨を逸脱することのない範囲で色々な応用が可能である。
【符号の説明】
【００３９】
１、１０１、２０１  多機能電磁開閉弁
１１    電磁開閉弁
２０    本体
２３    第１空洞部
２４    第２空洞部
２５    第３空洞部
２６    第４空洞部
３０    手動遮断弁
４０    フィルタユニット
５０    手動開閉弁
６０    目視用インジケータユニット
７０    第２本体
８０    流量センサ
９０    逆止弁
【図１】
0006454513.tif 000002
【図２】
0006454513.tif 000003
【図３】
0006454513.tif 000004
【図４】
0006454513.tif 000005
【図５】
0006454513.tif 000006
【図６】
0006454513.tif 000007
【図７】
0006454513.tif 000008
【図８】
0006454513.tif 000009
【図９】
0006454513.tif 000010
【図１０】
0006454513.tif 000011
【図１１】
0006454513.tif 000012
【図１２】
0006454513.tif 000013
【図１３】
0006454513.tif 000014
【図１４】
0006454513.tif 000015
【図１５】
0006454513.tif 000016
【図１６】
0006454513.tif 000017
【図１７】
0006454513.tif 000018